(57)【要約】【課題】１台のカメラレコーダ５０１から複数台のカメラレコーダに対して、撮影条件などのパラメータ情報を通知し、一度に同等の撮影条件設定などを行う。カメラレコーダの機能要素をそのまま利用し、低コストで実現する。【解決手段】カメラレコーダ５０１の機能要素はそのまま利用し、パレメータ⇔２次元コード変換機能５０５を備え、また撮影映像と２次元コードを重畳させる主映像２次元コード重畳機能５０６を有し、記録媒体への保存を可能とする。２次元コードへの変換をある時間間隔で分割しながら行うことで、比較的大きな設定パラメータ情報を扱えるようにする。主映像２次元コード重畳機能５０６を制御することにより、撮影映像と２次元コードを重畳させない本線記録と撮影映像と２次元コードを重畳させた複線記録の両機能を同時に実現する。【選択図】図８
2010252222.tif 000002
【特許請求の範囲】
【請求項１】
撮影画像の入力部及び撮影画像の出力部を有するカメラレコーダにおいて、カメラレコーダの撮影条件など本体設定情報を２次元コードとして撮影画像出力部に出力する機能を有するカメラレコーダ装置及びその制御方法。
【請求項２】
請求項１のカメラレコーダにおいて、２次元コードを読み取る画像読み取り機能と読み出した２次元コードを解読し、解読したカメラレコーダ設定情報を元にカメラレコーダの撮影条件など本体情報を再設定する機能を有するカメラレコーダ装置及び制御方法。
【請求項３】
請求項１のカメラレコーダにおいて、撮影画像の出力部に撮影画像と２次元コードを重畳させ合成画像を出力させるための画像合成機能を有し、その合成画像を出力する機能を備えるカメラレコーダ装置及びその制御方法。
【請求項４】
請求項３のカメラレコーダにおいて、重畳させる２次元コードを、ある時間間隔で変更して表示させる切り替え機能を有するカメラレコーダ及びその制御方法。
【請求項５】
請求項４のカメラレコーダにおいて、ある時間間隔で切り替えながら表示される２次元コードを一連の設定値として結び付ける機能を有し、その一連の設定情報をカメラレコーダの撮影条件など本体情報として再設定する機能を有するカメラレコーダ装置及び制御方法。
【請求項６】
請求項１のカメラレコーダにおいて、撮影画像の出力部に撮影画像と２次元コードを重畳させ合成画像を出力させるための画像合成機能を有し、その合成画像を録画する機能を備えるカメラレコーダ装置及びその制御方法。
【請求項７】
請求項６のカメラレコーダにおいて、撮影映像に重畳させた２次元コードを含む画像と含まない画像を別の記録媒体、または同一の記録媒体に別の記録画像として録画する機能を備えるカメラレコーダ装置及びその制御方法。
【請求項８】
請求項７のカメラレコーダにおいて、別の記録媒体、または同一の記録媒体に別の記録画像として録画するか選択し決定する機能選択機構を備えるカメラレコーダ装置及びその制御方法。
【発明の詳細な説明】
【技術分野】
【０００１】
本発明は、画像入力部から二次元配列記号を読み取り、二次元配列記号を解読し情報を取り出す技術を基本とし、その解読した結果の情報を用いて機器の制御や機器への保存データとして用いるための技術分野に関するものである。
【背景技術】
【０００２】
カメラレコーダでは撮影の条件やカメラレコーダの設定パラメータなどによって撮影後に出来上がる画像の質感や表現方法などが変わってくる。また設定するパラメータが多岐にわたるため同じ設定内容を再現することが大変困難である。従来の技術として、カメラレコーダの設定パラメータをＳＤカードなどに代表される外部メモリに記録し、それを他の機材に読み込ませて同一の設定を実現していた。物理的な記録媒体を介在するため、１台ずつ設定に限られることになる。また、別の方法として無線ＬＡＮなどの技術を用いて物理的なデータのやり取りをせずに、一度に複数台のカメラレコーダの設定を行うことも可能である。しかし、無線ＡＬＮのように標準的にはカメラレコーダに付加されていない機能で実現する場合は、コストがかかってしまうことになる。
そこで、既存の技術であるカメラ付き携帯電話でよく利用されている符号化技術である２次元コードを利用する。この既存技術は、カメラ付き携帯電話のようにインターネットのアドレス情報やメールアドレス情報を２次元コードとして紙や画像情報で使用者に対して提供し、その２次元コードをカメラ付き携帯電話に読み取らせ、２次元コードの複合処理を行いアドレス情報に変換して利用する形態で広く普及しているものである。
また、この技術を応用して機器の動作状態や設定状態をその機器の起動時に２次元バーコード情報として画面表示を行い、その２次元バーコード情報をカメラつき携帯電話で読み取り電子メールをサポートセンターに送信し遠隔地からでもメンテナンスを行える特許文献１のようなメンテナンス方法がある。
【先行技術文献】
【特許文献】
【０００３】
【特許文献１】特開２００７−２７１８０６号公報
【発明の概要】
【発明が解決しようとする課題】
【０００４】
撮影条件などのカメラレコーダの設定を簡単に複数台を同時に行いたい。そのとき物理的な外部記録媒体などを介さず、一方で、これまでのカメラレコーダに備わっているハードウェア資源を利用し追加コストを抑えて実現したい。
【０００５】
従来技術では、図１に示すようにプロジェクター１０１の機器情報をスクリーン１０２に投影し、その投影した画像をカメラ付き携帯電話１０４で読み取り、その読み取った２次元コードを複合処理を行って、電子メールをメンテナンスセンターに送信し症状を伝えるというメンテナンス方法がある。
【０００６】
１台の機器の動作状態を知ることは出来るが、その機器に対して設定パラメータを反映させることや、同時に複数台の機器に同一の設定を行うような使い方が出来ないという課題がある。
【０００７】
また、従来技術例で説明したプロジェクター１０１の場合、投影する機能そのものが不具合が起こったときなど機能しない場合、表示そのものが出来なくなるため情報経路が途絶えてしまう課題もある。
【課題を解決するための手段】
【０００８】
２次元コードの表示に関して、図２に示すようにカメラレコーダ２０１の液晶表示部または外部モニタ２０３へ表示出力を行う構成とする。一方、２次元コードの読み取りに関して、図４に示すようにカメラレコーダ２０１で被写体２次元コードを撮影して読み取る構成とする。
【０００９】
実際に使用する上での構成は、図７本実施例４におけるカメラレコーダの構成図に示すように、カメラレコーダ５０１には、液晶表示部２０２が構成され、外部モニタ２０３を接続できるようになっており、この外部モニタ２０３は着脱を可能とする。カメラレコーダ５０１の内部機能は、図８本実施例４におけるカメラレコーダ機能ブロックに示す。機能要素として最も重要なものは、パラメータ⇔２次元コード変換機能５０５、及び主映像２次元コード重畳機能５０６を具備している点である。
【００１０】
それぞれの構成については、発明を実施するための最良の形態にて詳細に述べる。
【発明の効果】
【００１１】
１台のカメラレコーダから複数台のカメラレコーダに対して、撮影条件などのパラメータ情報を通知し、一度に同等の撮影条件設定などを行うことが可能となる。それらを実現するためには、これまでのカメラレコーダの機能要素をそのまま利用し、低コストで実現する。
【図面の簡単な説明】
【００１２】
【図１】従来技術での２次元コード応用システムの構成図
【図２】本実施例１におけるカメラレコーダの構成図
【図３】本実施例１におけるカメラレコーダ機能ブロックを表した図
【図４】本実施例２におけるカメラレコーダの構成図
【図５】本実施例２におけるカメラレコーダ機能ブロックを表した図
【図６】本実施例３におけるカメラレコーダの２次元コード出力を表した図
【図７】本実施例３におけるカメラレコーダの２次元コード読取りを表した図
【図８】本実施例４におけるカメラレコーダの２次元コード出力を表した図
【図９】本実施例４におけるカメラレコーダの２次元コード読取りを表した図
【発明を実施するための形態】
【００１３】
図２、図４、図７のそれぞれのカメラレコーダの構成図を参照しながら、最良の実施の形態を以下に説明する。
【実施例１】
【００１４】
図２のカメラレコーダの構成において、カメラレコーダ２０１の機能ブロックを図３に示す。２次元コードの出力機能を実現するためにモニタ出力機能や液晶表示機能を具備し、カメラレコーダ２０１内部の設定パラメータ、例えば撮影条件やカメラレコーダ２０１の動作条件などを選択・決定して予め設定しておくメニュー情報などを２次元コードに変換する機能を備える。その変換された２次元コードはモニタ出力機能または液晶表示機能を介して画像として出力される。
このように内部情報を２次元コードとして表示することができる請求項１のカメラレコーダを実現する。カメラレコーダ２０１の内部情報を２次元コードにするが、この２次元コードは、例えばＱＲコードのようにエラー訂正を行うようなコードでもよい。２次元コードの符号化と後述する２次元コードを読み取る際の複合化の方式を共通にしておかなければならない。
【実施例２】
【００１５】
図４のカメラレコーダの構成において、カメラレコーダ２０２の機能ブロックを図５に示す。２次元コードの入力を実現するために撮影機能やエンコード機能を具備し、撮影画像を２次元コードとして認識し解読する機能を備える。２次元コードの黒い部分と白い部分の配列によってデータの配列が決まり、その配列を２値データ化したものを解読する。解読の方法、即ち前述の実施例１で説明した符号化コードに対する複合化を行うことになる。その解読した情報が撮影条件など本体情報であれば、カメラレコーダ２０２のパラメータに変換して設定パラメータとして書き込むことでカメラレコーダ２０２の機器設定を行うことが出来る。
【００１６】
これまで述べた実現方法に加え、実施例１で説明した２次元コードを出力する機能と組み合わせることで、撮影条件など本体情報を出力でき、且つ解読できる請求項２のカメラレコーダを実現する。
【００１７】
読み取りを開始するときは、撮影開始・停止ボタンのように、このボタンとは別に２次元コードの読み取りを行うためのボタンを押すことで開始したり、撮影開始・停止ボタンの長押しで２次元コードの読み出しを開始するなど方法は幾つか考えられる。一方、読み取りの完了は、２次元コードの読み取りの結果、コードを解析しデータとして認識できた時点で完了と判断する。
【実施例３】
【００１８】
これまで説明した方法を基本に、更に利便性を向上させるための実施例を下記に述べる。請求項３、請求項４及び請求項５のカメラレコーダについて実施例を示す。
【００１９】
撮影画像は、２次元コードだけでなく風景や人物などの被写体である。この風景や人物などの被写体を撮影した主映像を液晶表示部２０２や外部モニタ２０３出力する際に、設定パラメータを２次元コードに変換した画像データをこの主映像に対して重畳する機能を有することで、２次元コード情報を含んだ主映像を出力することを可能とする。請求項３のカメラレコーダである。
【００２０】
２次元コードは、さほど大きなデータを扱うことは出来ない。大きいデータの場合は、２次元コードを正確に読み出し解析できるには、画像の精細さが要求される。カメラレコーダ２０２の液晶表示部は、高精細な画像を表示することは困難で、２次元コードの読み取りの正確さを上げるためには比較的小さなデータである必要がある。そこで、比較的小さなデータを時分割して扱い、また再度つなぎ合わせることにより大きなデータを扱うことが可能となる。図７に２次元コード出力の例を示します。１からｎまでの期間、ｎ分の１の分割表示を切り替えながら行います。１番目の２次元コードにはスタートの意味を持たせ、またｎ番目の２次元コードにはエンドの意味を持たせる。請求項４のカメラレコーダである。
【００２１】
１番目の２次元コードにｎ番目の２次元コードが１番目の２次元コードに対してどれだけの時間離れているかを示しておくことで、その時間経過後にエンドの意味を持つｎ番目の２次元コードまで到達しない異常系を考慮することができる。また、１番目の２次元コードにｎ番目の２次元コードまでの２次元コードの個数、即ちｎ個を予め示しておくことで、途中の２次元コードが飛び越されてしまう異常系を考慮することができる。
【００２２】
読み取りに何らかの異常となることを想定し、ｎ番目のエンドの意味を持った２次元コードの次に１番目、即ちスタートを示す２次元コードから再開させることで誤りを低減させる。
【００２３】
スタートからエンドまでのｎ個の２次元コードを全て読み取り出来たら、それらのコードの解読データをつなぎ合わせ、一連のデータ列として扱うことで、大きいデータ量、例えば写真画像データなどを扱うことも可能となる。請求項５のカメラレコーダである。
【実施例４】
【００２４】
請求項６、請求項７及び請求項８のカメラレコーダについて実施例を示す。
カメラレコーダでは、風景や人物などの被写体を撮影した主映像を液晶表示部２０２や外部モニタ２０３に出力する。また同時に、その映像を外部メモリなどの記録媒体に録画する。一方、同じ液晶表示部２０２や外部モニタ２０３には被写体の映像以外の２次元コードを表示出力するようにする。
設定パラメータを２次元コードに変換した画像データと被写体を撮影した主映像とを重畳する機能を有し、この２次元コードを含んだ主映像を記録媒体に記録する機能を有することで、録画データを作成することを可能としたカメラレコーダについて説明する。
【００２５】
カメラレコーダ５０１は被写体５０３を撮影し、その撮影画像はカメラレコーダ５０１の機能ブロック撮像機能、エンコード機能、記録機能を経由し記録媒体へ録画を行います。同時に撮影機能へ入力された被写体映像は、モニタ出力機能や液晶表示機能を介して画面の表示部へと出力され表示される。
【００２６】
２次元コードを重畳せず単に被写体映像を表示部に出力するだけであれば前述の通りであるが、表示部に２次元コードも同時に出力したい場合は、この被写体映像とカメラレコーダ５０１の設定パラメータから生成した２次元コードの画像を重畳させる必要がある。カメラレコーダ５０１の主映像２次元コード重畳機能で出力用のフレームメモリに重ね合わせビットマップを再生成し、その画像データを表示部に出力する。またその画像データを記録することで被写体映像と２次元コードを重畳させた合成画像を記録することが可能となる。請求項６のカメラレコーダである。
【００２７】
カメラレコーダ５０１の設定パラメータから生成した２次元コードの画像を重畳する動作を、ある時間経過を機に生成する２次元コードを変化させながら繰り返すことで、設定パラメータのデータを時分割に取り扱う。図７本実施例４におけるカメラレコーダの構成図では、１からｎまでの２次元コードに分割した場合を表している。
【００２８】
パラメータ⇔２次元コード変換機能では、双方向へのデータ変換を可能としている。前述の２次元コードの出力とは別に、２次元コードの読み込み及び設定パラメータを機器に書き込む機能も備える。即ち、設定情報を外部からもらい自身の設定値とすることと、自身の設定値を外部に表示し設定情報を提供する側の両機能を搭載したカメラレコーダである。
【００２９】
記録媒体への記録も複数の記録媒体、例えば２次元コードを含まない放送本番用の記録データを大容量記録媒体に録画しながら、編集の際に参照する補助的な記録画像データを比較的容量の小さい、例えばＳＤメモリーカードにも記録するという使い方も想定する。請求項７のカメラレコーダである。記録機能から記録媒体に記録するとき、記録機能へのデータの入力がエンコード機能からのものであれば被写体画像のみであり２次元コード画像は含まれない。一方、記録機能へのデータ入力が主映像２次元コード重畳機能５０６からのものであれば被写体と２次元コードが重畳された画像を記録することになる。
【００３０】
予め、どの記録媒体に対して被写体映像のみ、または被写体映像と２次元コードの重畳画像を記録するかを、機器設定情報内に選択メニューで決定しておき、撮影時にはその決定値に従って、記録保存先の記録媒体に記録画像を選別して記録できるようにする。請求項８のカメラレコーダである。
被写体映像と２次元コード画像の重畳画像は、撮影サンプルとして広く使用者に公開すれば、例えばプロのカメラマンが撮影した設定条件を身近で再現することも可能となり、プロモーション活動の一つとしてカメラレコーダの付加価値機能を提供することが可能である。
【産業上の利用可能性】
【００３１】
カメラレコーダのような画像入力系、及び画像出力系を兼ね備えたシステムにおいて同様に設定情報を保持している機器においては有用な技術である。
スチルカメラも同様である。しかし、画像入力系がＣＣＤやＣＭＯＳセンサでなくても、例えばスキャナやコピー機や複合機などでも同様に２次元コードを読み出すことが可能であり、画像出力も可能である。
【符号の説明】
【００３２】
１０１    （従来技術）プロジェクター
１０２    （従来技術）スクリーン
１０３    （従来技術）投影２次元コード
１０４    （従来技術）カメラ付き携帯電話
２０１    カメラレコーダ（実施例１）
２０２    液晶表示部
２０３    外部モニタ
２０５    パラメータ⇒２次元コード変換機能
３０１    カメラレコーダ（実施例２）
３０２    被写体２次元コード
３０５    ２次元コード(解読)⇒パラメータ変換機能
４０１    カメラレコーダ（実施例３）
５０１    カメラレコーダ（実施例４）
５０４    被写体
５０５    パラメータ⇔２次元コード変換機能
５０６    主映像２次元コード重畳機能
【図１】
2010252222.tif 000003
【図２】
2010252222.tif 000004
【図３】
2010252222.tif 000005
【図４】
2010252222.tif 000006
【図５】
2010252222.tif 000007
【図６】
2010252222.tif 000008
【図７】
2010252222.tif 000009
【図８】
2010252222.tif 000010
【図９】
2010252222.tif 000011